(57)【特許請求の範囲】
【請求項１】
情報処理装置に着脱可能であって該情報処理装置と電気的に接続するための接続部と、不揮発にてデータを書き換え可能に記憶する不揮発性記憶部とを備え、利用者が携行可能とされた小型の携帯型外部記憶装置であって、
前記携帯型外部記憶装置を単独にて動作させるための電力を供給する電力手段と、
前記携帯型外部記憶装置を携行するために利用者が使用する携帯型外部記憶装置用格納容器内に該携帯型外部記憶装置が格納されているか否かを検知する格納検知手段と、
前記接続部が稼働中の前記情報処理装置に接続されているか否かを検知する稼働端末接続検知手段と、
少なくとも警告音を出力可能な警告出力手段と、
前記格納検知手段により前記携帯型外部記憶装置用格納容器内に格納されていないことが検知され、且つ、前記稼働端末接続検知手段により稼働中の前記情報処理装置に接続されていないことが検知されたことを条件に、少なくとも警告音を前記警告出力手段から出力する警告出力制御を行う制御手段と、
を備えることを特徴とする携帯型外部記憶装置。
【請求項２】
前記制御手段は、前記条件が成立した時点または前記警告出力制御による警告音の出力を開始した時点からの経過期間が、予め設定された所定期間に達したか否かを判定し、該判定結果が所定期間に達したとの判定結果であることを条件として、前記不揮発性記憶部に記憶されているデータを読み出し不能とするための不能化処理を実施することを特徴とする請求項１に記載の携帯型外部記憶装置。
【請求項３】
前記電力手段が、前記警告出力手段のみに動作電力を供給する第１電力部と、該第１電力部とは個別とされ、前記警告出力手段以外に動作電力を供給する第２電力部とから構成されていることを特徴とする請求項２に記載の携帯型外部記憶装置。
【請求項４】
前記電力手段は、２次電池および／または電気二重層コンデンサと、前記接続部を通じて稼働中の前記情報処理装置から供給される電力に基づいて前記２次電池および／または電気二重層コンデンサに充電する充電回路とを含むことを特徴とする請求項１〜３のいずれかに記載の携帯型外部記憶装置。
【請求項５】
前記制御手段は、前記警告出力制御において前記警告音を所定時間間隔毎に間歇的に出力するとともに、該所定時間間隔を段階的に短くする制御を行うことを特徴とする請求項１〜４のいずれかに記載の携帯型外部記憶装置。
【請求項６】
前記条件が成立したか否かを判定を、所定の時間間隔毎に実施するための判定タイミングを生成する判定タイミング生成手段を備え、
前記制御手段は、前記判定タイミング生成手段にて生成された判定タイミングに応じて前記条件が成立したか否かを判定することを特徴とする請求項１〜５のいずれかに記載の携帯型外部記憶装置。
【請求項７】
前記情報処理装置は、
前記接続部並びに前記携帯型外部記憶装置とのデータ通信を行うデータ通信手段を通じて前記不揮発性記憶部に記憶されているデータの読み出し並びにデータの書き込みが可能とされ、該不揮発性記憶部の所定の読出制御情報記憶領域に記憶されている読出制御情報が適正でないときに、該携帯型外部記憶装置のフォーマットを実施するとともに、
前記読出制御情報が適正であるか否かを判定する読出制御情報判定手段と、
前記読出制御情報が適正でないことを条件に、前記外部記憶装置に記憶されている仮想化データを復号して、該仮想化データ中に仮想化されている真性読出制御情報を抽出する真性読出制御情報抽出手段と、
前記真性読出制御情報抽出手段において抽出した真性読出制御情報が適正であるか否かを判定する真性読出制御情報判定手段と、
前記真性読出制御情報判定手段において真性読出制御情報が適正であると判定されることを条件に、前記仮想化データを復号して生成した真性データを、該情報処理装置において利用可能とする真性データ生成手段と、
を備える情報処理装置であって、
前記不揮発性記憶部の所定の読出制御情報記憶領域に、前記適正でない読出制御情報が記憶されるとともに、前記読出制御情報記憶領域外に前記真性読出制御情報並びに前記真性データを含む仮想化データが記憶されていることを特徴とする請求項１〜６のいずれかに記載の携帯型外部記憶装置。
【請求項８】
請求項１〜７のいずれかの携帯型外部記憶装置を携行するために利用者が使用する携帯型外部記憶装置用格納容器であって、
前記携帯型外部記憶装置を格納するための格納部と、
前記格納部を利用者の人体若しくは衣服に装着するための装着部と、
前記格納部に格納された携帯型外部記憶装置の前記格納検知手段に格納を検知させるための格納検知作動部と、
を備えることを特徴とする携帯型外部記憶装置用格納容器。
【発明の詳細な説明】
【技術分野】
【０００１】
本発明は、コンピュータ等の情報処理装置において利用する各種データを書き込み、読み出し可能な外部記憶装置、特には、ＵＳＢメモリ等の携帯可能な携帯型外部記憶装置および携帯型外部記憶装置用格納容器に関する。
【背景技術】
【０００２】
近年、携帯型外部記憶装置としては、フラッシュメモリ等の不揮発性メモリや、ハードディスクドライブの小型化技術の進歩に伴い、ＵＳＢメモリや超小型ＨＤＤ等に代表されるように、非常に小型のもので大容量のものが実用化されてきているが、これら大容量化により、多くのデータを記憶できるとともに、携帯性を高めるために小型としているために紛失などの機会が増加してきており、これら記憶されたデータによる情報の漏洩被害が拡大してきている。
【０００３】
このため、これら情報漏洩等を防止するセキュリティ性を向上することを目的として、予め設定された時間が経過すると、記憶データを消去することにより、ＵＳＢメモリの盗難や紛失による情報の漏洩を防止するものがある（例えば、特許文献１参照）。
【０００４】
【特許文献１】特開２００７−１０９１４８号公報（第５頁、第３図）
【発明の開示】
【発明が解決しようとする課題】
【０００５】
これら特許文献１にあっては、記憶データを消去することで、有る程度セキュリティ性を向上することができるものの、設定された時間内であればデータは消去されずに記憶されているばかりか、ＵＳＢメモリを紛失等したことは事実であり、その記憶データの漏洩を間違いなく回避できたとの保証はないため、漏洩防止としては不十分である。すなわち、ＵＳＢメモリの紛失等の発生自体を極力防止できることが情報漏洩等の防止において望ましいものの、上述した引用文献１のような従来のＵＳＢメモリ等の携帯型外部記憶装置においては、これら紛失等の発生を効果的に防止することはできなかった。
【０００６】
本発明は、このような問題点に着目してなされたもので、紛失等の発生自体を極力防止することのできる携帯型外部記憶装置並びに携帯型外部記憶装置用格納容器を提供することを目的とする。
【課題を解決するための手段】
【０００７】
上記課題を解決するために、本発明の請求項１に記載の携帯型外部記憶装置は、
情報処理装置（ノートパソコン１）に着脱可能であって該情報処理装置と電気的に接続するための接続部（ＵＳＢコネクタ部３０）と、不揮発にてデータを書き換え可能に記憶する不揮発性記憶部（フラッシュメモリ２２）とを備え、利用者が携行可能とされた小型の携帯型外部記憶装置（ＵＳＢメモリ２）であって、
前記携帯型外部記憶装置を単独にて動作させるための電力を供給する電力手段（コイン形二酸化マンガンリチウム二次電池２４ａ，２４ｂ、電源回路２３）と、
前記携帯型外部記憶装置を携行するために利用者が使用する携帯型外部記憶装置用格納容器（格納ケース部５４）内に該携帯型外部記憶装置が格納されているか否かを検知する格納検知手段（格納検知回路２６）と、
前記接続部が稼働中の前記情報処理装置に接続されているか否かを検知する稼働端末接続検知手段（電源回路２３）と、
少なくとも警告音を出力可能な警告出力手段（サウンダ２５）と、
前記格納検知手段により前記携帯型外部記憶装置用格納容器内に格納されていないことが検知され、且つ、前記稼働端末接続検知手段により稼働中の前記情報処理装置に接続されていないことが検知されたことを条件に（Ｓｍ２並びにＳｍ３で「Ｎｏ」）、少なくとも警告音を前記警告出力手段から出力する警告出力制御（状態監視処理）を行う制御手段（制御マイコン２１）と、
を備えることを特徴としている。
この特徴によれば、携帯型外部記憶装置が携帯型外部記憶装置用格納容器内に格納されている状態、並びに稼働中の前記情報処理装置に接続されている状態のいずれでもない状態、例えば、机上に携帯型外部記憶装置を置き忘れた場合や、情報処理装置の利用終了後に停止した該情報処理装置から携帯型外部記憶装置を外し忘れた場合には、少なくとも警告音が出力されることで、置き忘れや外し忘れが生じていることが報知されるので、紛失等の発生自体を極力防止することができる。
【０００８】
本発明の請求項２に記載の携帯型外部記憶装置は、請求項１に記載の携帯型外部記憶装置であって、
前記制御手段は、前記条件が成立した時点または前記警告出力制御による警告音の出力を開始した時点からの経過期間が、予め設定された所定期間（１分４０秒）に達したか否かを判定し、該判定結果が所定期間に達したとの判定結果であることを条件として、前記不揮発性記憶部に記憶されているデータを読み出し不能とするための不能化処理（Ｓｍ１５）を実施することを特徴としている。
この特徴によれば、警告音を出力しても尚、携帯型外部記憶装置が携帯型外部記憶装置用格納容器内に格納されている状態、並びに稼働中の前記情報処理装置に接続されている状態のいずれでもない状態が継続されている場合、つまり、置き忘れや外し忘れの状態が継続している場合には、データが読み出し不能化、例えば、データが消去されるので、より高いキュリティ性を得ることができる。
【０００９】
本発明の請求項３に記載の携帯型外部記憶装置は、請求項２に記載の携帯型外部記憶装置であって、
前記電力手段が、前記警告出力手段（サウンダ２５）のみに動作電力を供給する第１電力部（コイン形二酸化マンガンリチウム二次電池２４ｂ）と、該第１電力部とは個別とされ、前記警告出力手段以外に動作電力を供給する第２電力部（コイン形二酸化マンガンリチウム二次電池２４ａ）とから構成されていることを特徴としている。
この特徴によれば、警告出力手段が警告音を出力し続けることで第１電力部の電力が消費されても、第２電力部の電力は警告音の出力に消費されることがないので、警告音の出力を開始した時点からの経過期間が予め設定された所定期間に達したときに、不揮発性記憶部に記憶されているデータを読み出し不能とするために使用する電力が、警告音の出力により無くなってしまうことにより、データを読み出し不能とすることができなくなることを回避でき、確実にデータを読み出し不能化することができる。
【００１０】
本発明の請求項４に記載の携帯型外部記憶装置は、請求項１〜３のいずれかに記載の携帯型外部記憶装置であって、
前記電力手段は、２次電池（コイン形二酸化マンガンリチウム二次電池２４ａ，２４ｂ）および／または電気二重層コンデンサと、前記接続部を通じて稼働中の前記情報処理装置から供給される電力に基づいて前記２次電池および／または電気二重層コンデンサに充電する充電回路とを含むことを特徴としている。
この特徴によれば、電力手段となる、例えば、一次電池の交換頻度を低減できるばかりか、一次電池の消耗による警告音の出力不能や、データの読み出し不能化の実施不能等の発生を、大幅に低減できる。
【００１１】
本発明の請求項５に記載の携帯型外部記憶装置は、請求項１〜４のいずれかに記載の携帯型外部記憶装置であって、
前記制御手段は、前記警告出力制御において前記警告音を所定時間間隔（１秒、０.５秒）毎に間歇的に出力するとともに、該所定時間間隔を段階的に短くする制御を行うことを特徴としている。
この特徴によれば、警告音の出力初期段階では、比較的長い間隔の警告音を出力することで、警告音の出力に使用される電力消費を低減できる。
【００１２】
本発明の請求項６に記載の携帯型外部記憶装置は、請求項１〜５のいずれかに記載の携帯型外部記憶装置であって、
前記条件が成立したか否かを判定を、所定の時間間隔（監視タイマによる１秒）毎に実施するための判定タイミングを生成する判定タイミング生成手段（監視タイマ）を備え、
前記制御手段は、前記判定タイミング生成手段にて生成された判定タイミングに応じて前記条件が成立したか否かを判定することを特徴としている。
この特徴によれば、制御手段は、前記判定タイミングに応じて判定の処理を実施すれば良く、該判定タイミング間においては電力消費の低い待機状態とすることができるので、電力手段の電力消耗を低減できる。
【００１３】
本発明の請求項７に記載の携帯型外部記憶装置は、請求項１〜６のいずれかに記載の携帯型外部記憶装置であって、
前記情報処理装置は、
前記接続部並びに前記携帯型外部記憶装置とのデータ通信を行うデータ通信手段を通じて前記不揮発性記憶部に記憶されているデータの読み出し並びにデータの書き込みが可能とされ、該不揮発性記憶部の所定の読出制御情報記憶領域に記憶されている読出制御情報が適正でないときに、該携帯型外部記憶装置のフォーマットを実施するとともに、
前記読出制御情報が適正であるか否かを判定する読出制御情報判定手段と、
前記読出制御情報が適正でないことを条件に、前記外部記憶装置に記憶されている仮想化データを復号して、該仮想化データ中に仮想化されている真性読出制御情報を抽出する真性読出制御情報抽出手段と、
前記真性読出制御情報抽出手段において抽出した真性読出制御情報が適正であるか否かを判定する真性読出制御情報判定手段と、
前記真性読出制御情報判定手段において真性読出制御情報が適正であると判定されることを条件に、前記仮想化データを復号して生成した真性データを、該情報処理装置において利用可能とする真性データ生成手段と、
を備える情報処理装置であって、
前記不揮発性記憶部の所定の読出制御情報記憶領域に、前記適正でない読出制御情報が記憶されるとともに、前記読出制御情報記憶領域外に前記真性読出制御情報並びに前記真性データを含む仮想化データが記憶されていることを特徴としている。
この特徴によれば、近年において実用化されている不揮発性記憶部に記憶されるデータを暗号化することで、これらデータによる情報が第三者に漏洩することを回避するもの（例えば特開２００４−１２７１８３号公報）は、記憶装置自体は、該記憶装置が装着されるパソコンや携帯機器にマウントされて、暗号化されたデータ自体に対してはアクセスが可能とされてしまうので、これら暗号化の手法、例えば復号する暗号キーデータと暗号化アルゴリズムさえ判れば、これら暗号化されたデータが容易に復号されてしまうのに対して、紛失や盗難された携帯型外部記憶装置が情報処理装置に装着されても、情報処理装置においては、読出制御情報が適正でないことによりフォーマットが実施されるので、携帯型外部記憶装置に記憶されているデータへのアクセス自体が不能とされるので、紛失や盗難による情報の漏洩を、さらに確実に防止することができる。
【００１４】
本発明の携帯型外部記憶装置用格納容器は、請求項１〜７のいずれかの携帯型外部記憶装置を携行するために利用者が使用する携帯型外部記憶装置用格納容器（ＩＤカード５０）であって、
前記携帯型外部記憶装置を格納するための格納部（格納ケース部５４）と、
前記格納部を利用者の人体若しくは衣服に装着するための装着部（吊下紐５１）と、
前記格納部に格納された携帯型外部記憶装置の前記格納検知手段に格納を検知させるための格納検知作動部（格納用コネクタ５６）と、
を備えることを特徴としている。
この特徴によれば、本発明の警告音を出力する携帯型外部記憶装置を、警告音を出力させずに携行できるとともに、装着部により人体に装着することができ、よって、紛失や盗難を極力防止できる。
【発明を実施するための最良の形態】
【００１５】
本発明の実施例を以下に説明する。
【実施例】
【００１６】
本発明の実施例を図面に基づいて説明すると、先ず図1は、本実施例における情報処理装置であるノートパソコン１並びに携帯型外部記憶装置であるＵＳＢメモリ２を示す斜視図である。
【００１７】
まず、本実施例に用いたノートパソコン１は、図２に示すように、コンピュータ内部にてデータの送受を行うデータバス１１に、後述する記憶装置１５に記憶されているオペレーティングシステムプログラム（ＯＳ）や、該オペレーティングシステムプログラム（ＯＳ）や後述する仮想化カーネルドライバ（プログラム）による各種の処理並びにＵＳＢメモリ２から読み出したデータに基づく情報処理を実行するＣＰＵ１２、ワークメモリ等として使用されるＲＡＭ１３、キーボード７やマウス８が接続される操作入力部１４、ハードディスクドライブ（ＨＤＤ）から成る記憶装置１５、ディスプレイ６が接続され該ディスプレイ６に表示される表示画面の生成処理を行うグラフィックボード等から成る表示処理部１６、ローカルエリアネットワーク（ＬＡＮ）上の他のコンピュータやＤＮＳサーバ等のサーバコンピュータとのデータ通信を行う通信部１７、ＵＳＢメモリ２が装着されるコネクタやＵＳＢメモリ２とのデータの送受信を行う通信部とから成るＵＳＢインターフェイス部３が接続された通常のコンピュータである。
【００１８】
このノートパソコン１の側面部には、図１に示すように、前記したＵＳＢインターフェイス部３が設けられており、該ＵＳＢインターフェイス部３に接続されるＵＳＢメモリ２は、図１に示すように、断面視四角棒状で掌上に載置可能な小型の記憶媒体であり、その長手方向の一方端には、ＵＳＢインターフェイス部３に装着してノートパソコン１と電気的に接続を行うための本発明の接続部を成すＵＳＢコネクタ部３０（図１１参照）が設けられているとともに、その上面には、内蔵されている後述するサウンダが出力する警告音を外部の放出するための開口３１と、ＵＳＢメモリ２内部の電池ソケット（図示略）に格納されるコイン形二酸化マンガンリチウム二次電池２４ａ，２４ｂの上部を覆う、スライド開放自在とされた電池カバー２９とが設けられており、該電池カバー２９をスライド開放させて、内在するコイン形二酸化マンガンリチウム二次電池２４ａ，２４ｂの交換を実施できるようになっている。
【００１９】
また、ＵＳＢメモリ２の内部には、不揮発性記憶部であるフラッシュメモリ２２とともに、該フラッシュメモリ２２にローカルに接続されたＵＳＢコントローラを内蔵する制御マイコン２１が搭載されており、該制御マイコン２１のＵＳＢコントローラが装着されるノートパソコン１のＵＳＢインターフェイス部３との間においてデータの送受を実施する。
【００２０】
さらに、これら制御マイコン２１並びにフラッシュメモリ２２に加えてＵＳＢメモリ２内部には、開口３１に臨むように内蔵され、所定周波数の警告音を出力する本発明の警告出力手段となるサウンダ２５と、本発明における電力手段を成す、充電可能な２つのコイン形二酸化マンガンリチウム二次電池２４ａ，２４ｂ並びにＵＳＢインターフェイス部３から供給される電力を各デバイスに供給するとともにコイン形二酸化マンガンリチウム二次電池２４ａ，２４ｂへの充電回路を有する電源回路２３と、ＵＳＢコネクタ部３０における特定電極（本実施例では１番と４番電極）の短絡により、本発明の携帯型外部記憶装置用格納容器となるＩＤカード５０（図１０、１１参照）に格納されていることを検知する格納検知回路２６とが内蔵され、これら各デバイスは図２に示すように制御マイコン２１に接続されて、制御マイコン２１によりその動作が制御される。
【００２１】
この制御マイコン２１内部には、内蔵する内部ＥＥＰＲＯＭに記憶されている制御プログラムに基づいてＵＳＢメモリ２の動作、具体的には、フラッシュメモリ２２からの読み出しや書き込みの制御や、後述する状態監視処理等の各種の処理を実施するＣＰＵコア部と、装着されるノートパソコン１のＵＳＢインターフェイス部３との間において、ＵＳＢ（Universal Serial Bus）規格に基づくシリアルデータ通信を行うＵＳＢコントローラ部と、ＣＰＵコア部の処理に使用される内蔵メモリ（図示略）が設けられているとともに、本実施例の制御マイコン２１は、該制御マイコン２１を動作させる図示しない動作周波数回路から供給されるクロック信号に基づいて、所定時間を計時するタイマ機能を有している。
【００２２】
また、フラッシュメモリ２２には、本発明の読出制御情報となるマスターブートレコーダー（ＭＢＲ）が読出制御情報記憶領域に記憶されているとともに、暗号化による仮想化データが、読出制御情報記憶領域外に記憶されている。
【００２３】
尚、本実施例に用いた電源回路２３は、装着されるノートパソコン１のＵＳＢインターフェイス部３からＵＳＢコネクタ部３０介して、該ノートパソコン１の稼働中においてのみ供給される直流電圧（５Ｖ）の有無を検知する電圧検知回路を含み、該電圧検知回路における検知結果を制御マイコンに出力できるようになっており、該電源回路２３にて本発明の稼働端末接続検知手段が形成されている。
【００２４】
また、本実施例のＵＳＢメモリ２においては、２つのコイン形二酸化マンガンリチウム二次電池２４ａ，２４ｂを搭載可能としており、これら２つのコイン形二酸化マンガンリチウム二次電池２４ａ，２４ｂのいずれもが、電源回路２３により、ノートパソコン１から供給される直流電力により充電可能とされ、その内の一方のコイン形二酸化マンガンリチウム二次電池２４ａは、該電源回路２３に対して放電可能に接続されている一方、他方のコイン形二酸化マンガンリチウム二次電池２４ｂは、警告音を出力するサウンダ２５に対してのみ接続されて電力供給を行うようになっている。
【００２５】
つまり、本実施例のコイン形二酸化マンガンリチウム二次電池２４ｂは、本発明の警告出力手段となるサウンダ２５のみに動作電力を供給しており、該コイン形二酸化マンガンリチウム二次電池２４ｂにて本発明の第１電力部が形成され、本実施例のコイン形二酸化マンガンリチウム二次電池２４ａは、コイン形二酸化マンガンリチウム二次電池２４ｂとは個別とされ、サウンダ２５以外に電源回路２３を介して電力を供給しており、該コイン形二酸化マンガンリチウム二次電池２４ａにて本発明の第２電力部が形成されている。
【００２６】
また、本実施例に用いた格納検知回路２６は、ＵＳＢコネクタ部３０における特定電極、具体的には４つの電極の内、１番電極と４番電極間の短絡（導通）の有無を検知する導通検知回路を含み、該導通検知回路における検知結果を制御マイコンに出力できるようになっている。
【００２７】
尚、後述する本実施例の携帯型外部記憶装置用格納容器となるＩＤカード５０（図１１参照）の格納ケース部５４内に内設されている格納用コネクタ５６においては、１番電極と４番電極とが短絡（導通）するように結線されているので、格納ケース部５４内にＵＳＢメモリ２を格納するために格納用コネクタ５６にＵＳＢコネクタ部３０を装着すると、ＵＳＢコネクタ部３０の１番電極と４番電極とが短絡（導通）することとなり、該短絡（導通）されていることが格納検知回路２６により検知される。
【００２８】
つまり、本実施例の格納検知回路２６は、１番電極と４番電極との短絡（導通）を検知することにより、ＵＳＢメモリ２が格納ケース部５４内に格納されていることを検知することになることから、該格納検知回路２６にて本発明の格納検知手段が形成され、これら１番電極と４番電極とが短絡（導通）された格納用コネクタ５６により、本発明の格納検知作動部が形成されている。
【００２９】
ここで、本実施例のＵＳＢメモリ２を利用者が携行するためのＩＤカード５０について、図１０並びに図１１を用いて以下に説明する。
【００３０】
この本実施例のＩＤカード５０は、図１０に示すように、首から吊下可能とされた通常のＩＤカードと同様に、ＩＤ証を外部から視認可能に格納する透明部材により形成されたＩＤ証格納部５３を有する本体部５２と、該本体部５２を首から吊下するための本発明の装着部となる吊下紐５１とから構成されている。
【００３１】
そして、本体部５２は、図１０に示すように、ＩＤ証格納部５３と該ＩＤ証格納部５３の吊下時において下方となる位置に、一方に長く、該長手方向の長さがＩＤ証格納部５３の横幅の長さとほぼ同じ長さとされた、本発明における格納部となる方形箱状の樹脂製の格納ケース部５４が、ＩＤ証格納部５３を成す透明シート部材に、熱接着により取外し不能に一体に形成されている。
【００３２】
この格納ケース部５４は、図１１に示すように、その内部に、ＵＳＢメモリ２を収納可能な格納空間５７が設けられているとともに、その長手方向（左右方向）の一方端に、ＵＳＢメモリ２のＵＳＢコネクタ部３０を挿入可能であって、前述のように、１番電極と４番電極とが予め短絡された格納用コネクタ５６が、該格納空間５７に臨むように、インサート成形により、格納ケース部５４と一体成形されている。
【００３３】
そして、格納空間５７を形成する格納ケース部５４の側壁の格納用コネクタ５６が対向する位置には、格納用コネクタ５６へのＵＳＢメモリ２の装着を容易とするために、ＵＳＢメモリ２を、その長手方向に挿通可能な凹部５８が形成されているとともに、該凹部５８を閉塞するための舌部６２を有し、格納ケース部５４の前面側下端辺を中心軸として回動することで、格納空間５７の開放部を開閉可能とされた開閉蓋６１が形成されている。
【００３４】
尚、図中の６０は、格納ケース部５４の側壁に形成された係止孔５９と係止して開閉蓋６１を閉状態に保持するための係止片である。
【００３５】
また、本実施例では、ＩＤカード５０と該ＩＤカード５０に使用するＵＳＢメモリ２とが１つのセットして販売されることを前提としており、格納ケース部５４の格納空間５７の長手方向の長さは、ＵＳＢメモリ２のＵＳＢコネクタ部３０を除いた部分の長さより若干大きな寸法とすることにより、ＵＳＢメモリ２を逆方向、つまり、ＵＳＢコネクタ部３０が格納用コネクタ５６に装着できない方向で格納空間５７に格納しようとした場合には、ＵＳＢコネクタ部３０が凹部５８から格納空間５７外部に突出することで、該突出したＵＳＢコネクタ部３０に舌部６２が衝突して開閉蓋６１を閉じることができないようになっており、このようにすることで、ＵＳＢメモリ２が、ＵＳＢコネクタ部３０が格納用コネクタ５６に確実に装着された状態で、格納空間５７内部に格納されるようになっている。
【００３６】
また、本実施例では、ノートパソコン１としてＰＣ−ＡＴ互換機であるノートパソコンを用いており、オペレーティングシステムプログラム（ＯＳ）としては、ＵＳＢインターフェイス部３や記憶装置１５であるハードディスクドライブ（ＨＤＤ）を認識することができ、且つ、ＵＳＢインターフェイス部３や記憶装置１５であるＨＤＤをフォーマットにより初期化できるＷＩＮＤＯＷＳ  ＸＰ（米国、Microsoft社商品名）を好適に使用することができる。
【００３７】
また、ノートパソコン１は、通信部１７を介してローカルエリアネットワーク（ＬＡＮ）に接続されており、該ノートパソコン１に搭載されているオペレーティングシステムプログラム（ＯＳ）は、該ローカルエリアネットワーク（ＬＡＮ）に設けられて該ローカルエリアネットワーク（ＬＡＮ）に接続された各コンピュータのドメイン名を管理するＤＮＳサーバ２０から、当該ノートパソコン１が接続されているローカルエリアネットワーク（ＬＡＮ）に割り当てられたドメイン名を取得できるようになっているとともに、該取得したドメイン名を、前記仮想化カーネルドライバ（以下、仮想化カーネルと略称する）に対して出力できるようになっている。つまり、仮想化カーネルがオペレーティングシステムプログラム（ＯＳ）から取得するドメイン名は、ＤＮＳサーバ２０から取得したドメイン名である。
【００３８】
また、ノートパソコン１の記憶装置１５には、本発明における情報管理プログラムとなる仮想化カーネルが、オペレーティングシステムプログラム（ＯＳ）とともに記憶されている。
【００３９】
この仮想化カーネルは、オペレーティングシステムプログラム（ＯＳ）においてドライバプログラムとして機能し、図３に示すように、オペレーティングシステムプログラム（ＯＳ）上において動作するアプリケーションが、オペレーティングシステムプログラム（ＯＳ）にアクセスすることにより、該アクセスに応じてオペレーティングシステムプログラム（ＯＳ）がファイルシステムにアクセスし、該オペレーティングシステムプログラム（ＯＳ）によるアクセスに応じてファイルシステムが仮想化カーネルにアクセスするようになっており、オペレーティングシステムプログラム（ＯＳ）のインストール後において、ドライバプログラムとしてインストールされる。
【００４０】
また、フラッシュメモリ２２に記憶されているデータの記憶形式としては、仮想化カーネルがインストールされていない従来の通常のパソコンにＵＳＢメモリ２が装着された場合には、図４（ａ）に示すように、フラッシュメモリ２２の読出制御情報領域となる先頭の所定領域に適正なマスターブートレコーダー（ＭＢＲ）である、オペレーティングシステムプログラム（ＯＳ）と互換性を有するマスターブートレコーダー（ＭＢＲ）が、所定の記憶領域（読出制御情報記憶領）に記憶されているとともに、オペレーティングシステムプログラム（ＯＳ）にて利用可能なデータが、そのままの状態で記憶されている。
【００４１】
一方、仮想化カーネルがインストールされている、本実施例のノートパソコン１にＵＳＢメモリ２が装着された場合には、図４（ｂ）に示すように、フラッシュメモリ２２に記憶されているデータの記憶形式としては、フラッシュメモリ２２の読出制御情報領域となる先頭の所定領域に不適正なマスターブートレコーダー（ＭＢＲ）である、オペレーティングシステムプログラム（ＯＳ）と互換性を有しないマスターブートレコーダー（ＭＢＲ）が記憶されているとともに、そのままではオペレーティングシステムプログラム（ＯＳ）にて利用できない、暗号化により仮想形式とされた仮想化データが記憶されており、これら仮想化データが仮想化カーネルにより復号されて、該仮想化データ内に暗号化されているオペレーティングシステムプログラム（ＯＳ）と互換性を有するマスターブートレコーダー（ＭＢＲ）（真性マスターブートレコーダー（ＭＢＲ））と、オペレーティングシステムプログラム（ＯＳ）にて利用可能なデータ（真性データ）とが生成される。
【００４２】
ここで、本実施例の仮想化カーネルがインストールされていないノートパソコン（仮想化カーネルがインストールされていないこと以外は、ノートパソコン１と同じ構成）において、ＵＳＢメモリ２を使用する場合の流れについて、図５に示すフロー図に基づいて説明する。
【００４３】
この仮想化カーネルがインストールされていないノートパソコンにＵＳＢメモリ２を装着した場合には、図５に示すように、まず、ファイルシステムにおけるオープン処理（Ｓ’１）が実施されて、フラッシュメモリ２２の読出制御情報領域となる先頭の所定領域に記憶されているデータ（ＭＢＲデータ）を読み込む。
【００４４】
そして、該読み込んだデータ（ＭＢＲデータ）が適正な値であるか否かを判定し（Ｓ’２）、適正である場合には、Ｓ’６ステップに進み、ファイルシステムにおけるＩ／Ｏ処理を実施することで、該ＵＳＢメモリ２がドライブとしてマウントされた後、通常処理に移行することで、ＵＳＢメモリ２へのデータの読み込みやデータの書き込みが可能とされるようになる。
【００４５】
つまり、通常においては、読み込んだデータ（ＭＢＲデータ）が適正な値であるので、ＵＳＢメモリ２の装着により、該ＵＳＢメモリ２がマウントされて、ＵＳＢメモリ２に記憶されているデータへのアクセスが可能とされる。
【００４６】
一方、Ｓ’２のステップにおいて読み込んだデータ（ＭＢＲデータ）が適正な値でない場合には、Ｓ’３のステップに進み、装着されたＵＳＢメモリ２のフォーマットによる初期化を実施して良いか否かを受付けるエラー処理を実施し、該エラー処理にてフォーマットの許諾を受付けた場合には、Ｓ’４のステップにおいて「Ｙｅｓ」と判定されてＳ’５のステップに進み、装着されたＵＳＢメモリ２のフォーマットによる初期化を実施する。
【００４７】
また、エラー処理にてフォーマットの許諾を受付けない場合には、Ｓ’４のステップにおいて「Ｎｏ」と判定されてＳ’１のステップに進むことで、繰返しＳ’３のエラー処理による初期化を実施して良いか否かが受付けられることになる。
【００４８】
これに対し、本実施例の仮想化カーネルがインストールされているノートパソコン１にＵＳＢメモリ２を装着した場合の流れについて、図６に示すフロー図に基づいて説明する。
【００４９】
本実施例の仮想化カーネルがインストールされているノートパソコン１にＵＳＢメモリ２を装着した場合には、図６に示すように、まず、ファイルシステムにおけるオープン処理（Ｓ１）が実施されて、フラッシュメモリ２２の読出制御情報領域となる先頭の所定領域に記憶されているデータ（ＭＢＲデータ）を読み込む。
【００５０】
そして、該読み込んだデータ（ＭＢＲデータ）が適正な値であるか否かを判定し（Ｓ２）、適正である場合には、Ｓ１０ステップに進み、ファイルシステムにおけるＩ／Ｏ処理を実施することで、該ＵＳＢメモリ２がドライブとしてマウントされた後、通常処理に移行することで、ＵＳＢメモリ２へのデータの読み込みやデータの書き込みが可能とされるようになる。
【００５１】
つまり、前述した仮想化カーネルがインストールされていない通常のノートパソコンにおいて利用可能なＵＳＢメモリ２には、適正なＭＢＲデータが記憶されているので、Ｓ２のステップにて「Ｙｅｓ」と判定されてＳ１０ステップに進むことで、該装着されたＵＳＢメモリ２がドライブとしてマウントされるようになる。
【００５２】
一方、Ｓ２のステップにおいて読み込んだデータ（ＭＢＲデータ）が適正な値でない場合には、Ｓ３のステップに進み、仮想化カーネルが起動され、該起動された仮想化カーネルにより図７に示す読み込み処理（Ｓ４）が実施される。
【００５３】
この本実施例の仮想化カーネルによる読み込み処理では、まず、装着されたＵＳＢメモリ２に記憶されているデータが、所定の仮想形式を有する仮想化データであるか否かを判定する（Ｓｙ１）。
【００５４】
そして、仮想形式を有しない場合には当該読み込み処理を終了する一方、仮想形式を有する場合には、Ｓｙ２のステップに進んで、オペレーティングシステムプログラム（ＯＳ）からドメイン名を取得して、該取得したドメイン名を復号キーとして仮想化データを復号する復号処理を実施する。
【００５５】
そして、復号したデータから認証キーを抽出した後（Ｓｙ３）、該抽出した認証キーと、Ｓｙ２で取得したドメイン名とを照合して、双方のドメイン名が整合性を有するか否か、つまり、本実施例では、双方のドメイン名が同一であるか否かを照合して認証を行う（Ｓｙ４）。
【００５６】
尚、本実施例では、ドメイン名が完全に一致すること、すなわち同一であることを条件としているが、本発明はこれに限定されるものではなく、これらドメイン名の所定の部位、例えば上部ドメイン名が同一である等のように、ドメイン名の整合性があれば、認証ＯＫと判断するようにしても良い。
【００５７】
そして、該認証結果が認証ＮＧである場合、つまり双方のドメイン名が同一でない場合には、Ｓｙ５のステップにおいて「Ｎｏ」と判定されて当該読み込み処理を終了する一方、該認証結果が認証ＯＫである場合、つまり、双方のドメイン名が同一である場合には、Ｓｙ６のステップに進んで、Ｓｙ２のステップにおいて復号したデータから、互換形式のＭＢＲデータを抽出し、該抽出したＭＢＲデータをファイルシステムに出力する。
【００５８】
尚、本実施例では、これら互換形式のＭＢＲデータの復号を、認証キーの復号とともに、予め実施する形態を示したが、本発明はこれに限定されるものではなく、これらＭＢＲデータの復号を、Ｓｙ６のステップにおいて個別に実施するようにしても良い。
【００５９】
つまり、本実施例のＳ４における読み込み処理においては、装着されたＵＳＢメモリ２に記憶されているデータが、所定の仮想形式を有する仮想化データであって、且つ、復号された認証キーが、当該ノートパソコン１が接続されているＬＡＮに割り当てられたドメイン名に一致することを条件に、復号されたＭＢＲデータがファイルシステムに出力され、それ以外においては、ＭＢＲデータがファイルシステムに出力されないようになっている。
【００６０】
これら読み込み処理の後、Ｓ５のステップに進んで、再度、ファイルシステムにおけるオープン処理を実施した後、ファイルシステムに出力されたＭＢＲデータが適正な値であるか否かを判定する（Ｓ６）。
【００６１】
該判定においてファイルシステムに出力されたＭＢＲデータが適正な値である場合には、Ｓ６の判定において「Ｙｅｓ」と判定されてＳ１０ステップに進み、ファイルシステムにおけるＩ／Ｏ処理を実施することで、該ＵＳＢメモリ２がドライブとしてマウントされた後、通常処理に移行することで、ＵＳＢメモリ２へのデータの読み込みやデータの書き込みが可能とされるようになる。尚、この際、ファイルシステムには、Ｓｙ２のステップにおいて仮想化カーネルにより復号された、オペレーティングシステムプログラム（ＯＳ）と互換性を有するデータが出力されることで、これらのデータの読み込みが可能とされる。
【００６２】
尚、本実施例では、これら互換性を有するデータの復号を、認証キーや互換形式のＭＢＲデータの復号とともに、Ｓｙ２のステップにおいて予め実施する形態を示したが、本発明はこれに限定されるものではなく、これら互換性を有するデータの復号を、ＵＳＢメモリ２がドライブとしてマウントされる時点となる、Ｓ１０のステップにおいて個別に実施するようにしても良い。
【００６３】
そして、Ｓ６のステップにおいて「Ｎｏ」と判定されて場合、つまり、読み込み処理においてＭＢＲデータが出力されなかった場合には、Ｓ７のステップに進み、装着されたＵＳＢメモリ２のフォーマットによる初期化を実施して良いか否かを受付けるエラー処理を実施し、該エラー処理にてフォーマットの許諾を受付けた場合には、Ｓ８のステップにおいて「Ｙｅｓ」と判定されてＳ９のステップに進み、装着されたＵＳＢメモリ２のフォーマットによる初期化を実施する。
【００６４】
また、エラー処理にてフォーマットの許諾を受付けない場合には、Ｓ８のステップにおいて「Ｎｏ」と判定されてＳ１のステップに戻ることで、繰返しＳ７のエラー処理による初期化を実施して良いか否かが受付けられることになる。
【００６５】
次に、本実施例のノートパソコン１において、装着されているＵＳＢメモリ２にデータを書き込む場合において、仮想化カーネルが実施する書き込み処理の内容を図８に基づいて説明すると、まず、仮想化カーネルは、オペレーティングシステムプログラム（ＯＳ）からドメイン名を取得するとともに（Ｓｋ１）、該取得したドメイン名を暗号キーとして暗号化して暗号化認証キーを生成する（Ｓｋ２）。
【００６６】
そして、互換形式のＭＢＲ、つまり、前記Ｓｙ６のステップにおいてファイルシステムに出力されたＭＢＲデータを、Ｓｋ１のステップにて取得したドメイン名の暗号キーにより暗号化して仮想ＭＢＲを生成する（Ｓｋ３）。
【００６７】
更に、書き込みする互換形式のファイルデータを、Ｓｋ１のステップにて取得したドメイン名の暗号キーにより暗号化して仮想形式の仮想化データを生成する。
【００６８】
そして、Ｓｋ５のステップに進み、ＵＳＢメモリ２のフラッシュメモリ２２における読出制御情報領域となる先頭の所定領域（ＭＢＲ記憶領域）に不適正な値を有する非互換のＭＢＲデータを記憶するとともに、Ｓｋ２、Ｓｋ３、並びにＳｋ４の各ステップにて生成した暗号化認証キー、仮想ＭＢＲ、並びに仮想化データを非互換のＭＢＲデータに対応する記憶領域に記憶して処理を終了する。
【００６９】
このようにすることで、これら仮想化カーネルの書き込み処理にて書き込みが実施されたＵＳＢメモリ２を紛失したり、該ＵＳＢメモリ２が盗難されても、これらＵＳＢメモリ２を、仮想化カーネルが搭載されていない通常のパソコンに装着しても、フラッシュメモリ２２におけるＭＢＲ記憶領域には、前述したように、非互換のＭＢＲデータが記憶されているので、図５のフロー図に示すように、Ｓ’２において「Ｎｏ」と判定されるので、該ＵＳＢメモリ２はマウントされることなく、フォーマットによる初期化が実施されるようになる。
【００７０】
これに対し、書き込み処理を実施したノートパソコン１に、再度、ＵＳＢメモリ２を装着した場合には、図６に示す処理において、Ｓ６において「Ｙｅｓ」と判定されてＳ１０のステップに進むことになるので、ＵＳＢメモリ２がマウントされて、該ＵＳＢメモリ２に記憶されている各種のデータを読み出して、ノートパソコン１において使用できるようになる。
【００７１】
また、書き込み処理を実施したノートパソコン１と違うパソコンであっても、ノートパソコン１と同様に仮想化カーネルがインストールされているとともに、ノートパソコン１と同じＬＡＮに接続されているパソコンである場合には、書き込み処理を実施したノートパソコン１と同様に、図６に示す処理において、Ｓ６において「Ｙｅｓ」と判定されてＳ１０のステップに進むことになるので、ＵＳＢメモリ２がマウントされて、該ＵＳＢメモリ２に記憶されている各種のデータを読み出して、ノートパソコン１において使用できるようになる。
【００７２】
一方、ノートパソコン１と同様に仮想化カーネルがインストールされているパソコンであっても、ノートパソコン１と違うドメイン名のＬＡＮに接続されているパソコンである場合には、図７に示す読み込み処理のＳｙ５において「Ｎｏ」と判定されることにより、該ＵＳＢメモリ２はマウントされることなく、フォーマットによる初期化が実施されるようになる。
【００７３】
次に、本実施例のＵＳＢメモリ２が警告音を出力する流れについて、図９に示すＵＳＢメモリ２の制御マイコン２１が実施する状態監視処理に基づいて、以下に説明する。
【００７４】
制御マイコン２１は、該制御マイコン２１にローカルに接続されたフラッシュメモリ２２への書き込みや読み出し等のアクセスに関する処理と平行して、通常において図９に示す状態監視処理を実行する。
【００７５】
この状態管理処理において制御マイコン２１は、まず、監視タイマがタイマアップしたか、つまり、前回の監視時点から、所定の監視タイミング期間が経過したか否かを判定する監視タイミング待ち状態となる（Ｓｍ１）。
【００７６】
この監視タイミング待ち状態において制御マイコン２１は、電源回路２３から電圧検知結果が、電圧検知がないとの電圧検知結果である場合、つまり、ＵＳＢメモリ２が稼働中のノートパソコン１に装着されていない場合には、監視タイマがタイマアップするまでの期間において、動作モードを低消費電力にて動作するスリープモードに移行して、コイン形二酸化マンガンリチウム二次電池２４ａの電力消耗を抑えることができる。
【００７７】
そして、所定の監視タイミング期間（本実施例では１秒）が経過して監視タイマがタイマアップした場合には、該タイマアップがＳｍ１にて検知されてＳｍ２のステップに進み、ノートパソコン１からの電圧供給が有るか否かを、電源回路２３からの電圧検知結果に基づいて判定するとともに、該電圧供給が無い場合にはＳｍ３のステップに進んで、格納検知回路２６における短絡（導通）検知があるか、すなわち、ＩＤカード５０の格納ケース部５４内への格納検知が有るか否かを判定し、格納検知が無い場合には更にＳｍ４のステップに進んで、後述するフラッシュメモリ２２に記憶されているデータを読み出し不能とした（具体的には消去）際に内部メモリに記憶される不能化履歴のデータが存在するか否かを判定する。
【００７８】
これらＳｍ２並びにＳｍ３の判定において、例えば、ＵＳＢメモリ２が稼働中のノートパソコン１に装着されている場合には、Ｓｍ２のステップにおいて「Ｙｅｓ」と判定されてＳｍ２０〜Ｓｍ２２の各ステップの処理が実施されて再度Ｓｍ１のステップに戻る。
【００７９】
具体的にはＳｍ２０のステップにおいて、まず、内部メモリに不能化履歴のデータが記憶されているか否かを判定し、不能化履歴のデータが記憶されている場合、つまり、フラッシュメモリ２２に記憶されているデータを読み出し不能とした（具体的には消去）後、初めて稼働中のノートパソコン１に装着された場合には、Ｓｍ２１のステップに進み、該不能化履歴のデータを削除（消去）した後、監視タイマをリスタートして（Ｓｍ２２）Ｓｍ１のステップに戻り、不能化履歴のデータが記憶されていない場合、つまり、フラッシュメモリ２２に記憶されているデータが読み出し不能（具体的には消去）とされることなく、稼働中のノートパソコン１に装着されている場合には、Ｓｍ２１を経由することなく監視タイマをリスタートして（Ｓｍ２２）Ｓｍ１のステップに戻る。
【００８０】
すなわち、ＵＳＢメモリ２を稼働中のノートパソコン１に装着して通常使用している状況においては、Ｓｍ２のステップにおいて「Ｙｅｓ」と判定され、Ｓｍ２０のステップにて「Ｎｏ」と判定されることで、監視タイミング期間毎に監視タイマがリスタートされてＳｍ１のステップに戻ることにより、Ｓｍ５以降のステップに進まないので、警報の出力は実施されないことになる。
【００８１】
尚、本実施例では、Ｓｍ２０のステップにおける判定を実施して、フラッシュメモリ２２に記憶されているデータを読み出し不能とした（具体的には消去）後、初めて稼働中のノートパソコン１に装着された場合において、不能化履歴のデータを消去することで、該ＵＳＢメモリ２を再度、使用できるようにしているが、本発明はこれに限定されるものではなく、例えば、フラッシュメモリ２２に記憶されているデータを読み出し不能とする不能化処理において、フラッシュメモリ２２に過電流を印加してフラッシュメモリ２２をハード的に破損させることで読み出し不能とする場合には、これらＳｍ２０並びにＳｍ２１の各ステップは設けずとも良い。
【００８２】
また、ＵＳＢメモリ２を稼働中のノートパソコン１に装着している場合と同様に、格納ケース部５４内に正常に格納している状況においては、Ｓｍ３のステップにおいて「Ｙｅｓ」と判定され、Ｓｍ２０のステップにて「Ｎｏ」と判定されることで、監視タイミング期間毎に監視タイマがリスタートされてＳｍ１のステップに戻ることにより、Ｓｍ５以降のステップに進まないので、警報の出力は実施されないことになる。
【００８３】
また、フラッシュメモリ２２に記憶されているデータを読み出し不能とした（具体的には消去）後、初めて格納ケース部５４内に正常に格納された場合においては、Ｓｍ２０のステップにおいて「Ｙｅｓ」と判定されてＳｍ２１のステップに進み、不能化履歴のデータが消去されることで、該ＵＳＢメモリ２を再度、使用できるようになる。
【００８４】
また、ＵＳＢメモリ２が稼働中のノートパソコン１に装着されず、更に、格納ケース部５４内に正常に格納されていない紛失状態に長くあり、既に後述するＳｍ１５のステップによる読み出し不能化処理が実施されることで、内部メモリに不能化履歴のデータが記憶されている場合には、改めて警報を出力する必要がないので、Ｓｍ４のステップにおいて「Ｙｅｓ」と判定されてＳｍ２２のステップに進み、監視タイマをリスタートしてＳｍ１のステップに戻る。つまり、監視タイミング期間毎に監視タイマがリスタートされてＳｍ１のステップに戻ることにより、Ｓｍ５以降のステップに進まないので、警報の出力は実施されないことになる。
【００８５】
一方、ＵＳＢメモリ２が稼働中のノートパソコン１に装着されず、更に、格納ケース部５４内に正常に格納されていない紛失状態にあり、未だ、フラッシュメモリ２２に記憶されているデータが読み出し不能とされていない場合、つまり、内部メモリに不能化履歴のデータが記憶されていない場合には、Ｓｍ２〜Ｓｍ４の各ステップにおいていずれも「Ｎｏ」と判定されることで、Ｓｍ５のステップに進み、サウンダ２５を動作させて報知１の態様による警報の出力を開始する。
【００８６】
具体的に、本実施例の報知１の態様としては、１秒間隔毎に０.１秒間の警報出力を実施する態様、つまり、１秒間隔の間歇警報をサウンダ２５から出力する。
【００８７】
そして、Ｓｍ６のステップに進み、報知１の態様の警報出力を実施する期間（本実施例では１分）の経過を計時するための報知１タイマのカウントをスタートした後、Ｓｍ７のステップに進んで、該スタートした報知１タイマのタイマアップ待ち状態に移行する。
【００８８】
尚、この報知１タイマのタイマアップ待ち状態においては、Ｓｍ７において「Ｎｏ」と判定されることで、Ｓｍ２並びにＳｍ３と同じＳｍ３０並びにＳｍ３１の各ステップを実施することにより、稼働中のノートパソコン１への装着、或いは格納ケース部５４内への正常格納の有無、すなわち紛失状態の解消の有無が監視されており、稼働中のノートパソコン１への装着、或いは格納ケース部５４内への正常格納が検知された場合には、Ｓｍ３０或いはＳｍ３１において「Ｙｅｓ」と判定されてＳｍ３２のステップに進み、サウンダ２５からの警報の出力を終了した後、Ｓｍ２２のステップに進むことで、監視タイマがリスタートされてＳｍ１のステップに戻る。
【００８９】
そして、紛失状態が解消されることなく報知１の態様の警報出力を実施する期間である１分が経過した場合には、報知１タイマのタイマアップがＳｍ７のステップにおいて検知されてＳｍ８のステップに進み、サウンダ２５からの報知２の態様による警報の出力を開始する。
【００９０】
具体的に、本実施例の報知２の態様としては、０.５秒間隔毎に０.１秒間の警報出力を実施する態様、つまり、０.５秒間隔の間歇警報をサウンダ２５から出力する。
【００９１】
そして、Ｓｍ９のステップに進み、報知２の態様の警報出力を実施する期間（本実施例では３０秒）の経過を計時するための報知２タイマのカウントをスタートした後、Ｓｍ１０のステップに進んで、該スタートした報知２タイマのタイマアップ待ち状態に移行する。
【００９２】
尚、この報知２タイマのタイマアップ待ち状態においては、Ｓｍ１０において「Ｎｏ」と判定されることで、Ｓｍ２並びにＳｍ３と同じＳｍ４０並びにＳｍ４１の各ステップを実施することにより、稼働中のノートパソコン１への装着、或いは格納ケース部５４内への正常格納の有無、すなわち紛失状態の解消の有無が監視されており、稼働中のノートパソコン１への装着、或いは格納ケース部５４内への正常格納が検知された場合には、Ｓｍ４０或いはＳｍ４１において「Ｙｅｓ」と判定されてＳｍ４２のステップに進み、サウンダ２５からの警報の出力を終了した後、Ｓｍ２２のステップに進むことで、監視タイマがリスタートされてＳｍ１のステップに戻る。
【００９３】
そして、さらに紛失状態が解消されることなく報知２の態様の警報出力を実施する期間である３０秒が経過した場合には、報知２タイマのタイマアップがＳｍ１０のステップにおいて検知されてＳｍ１１のステップに進み、サウンダ２５からの報知３の態様による警報の出力を開始する。
【００９４】
具体的に、本実施例の報知３の態様としては、連続する警報出力を実施する態様、つまり、連続警報をサウンダ２５から出力する。
【００９５】
そして、Ｓｍ１２のステップに進み、フラッシュメモリ２２に記憶されている全データを消去（読み出し不能化）するまでの期間（本実施例では１０秒）の経過を計時するための消去タイマのカウントをスタートした後、Ｓｍ１３のステップに進んで、該スタートした消去タイマのタイマアップ待ち状態に移行する。
【００９６】
尚、この消去タイマのタイマアップ待ち状態においては、Ｓｍ１３において「Ｎｏ」と判定されることで、Ｓｍ２並びにＳｍ３と同じＳｍ５０並びにＳｍ５１の各ステップを実施することにより、稼働中のノートパソコン１への装着、或いは格納ケース部５４内への正常格納の有無、すなわち紛失状態の解消の有無が監視されており、稼働中のノートパソコン１への装着、或いは格納ケース部５４内への正常格納が検知された場合には、Ｓｍ５０或いはＳｍ５１において「Ｙｅｓ」と判定されてＳｍ５２のステップに進み、サウンダ２５からの警報の出力を終了した後、Ｓｍ２２のステップに進むことで、監視タイマがリスタートされてＳｍ１のステップに戻る。
【００９７】
そして、該連続警報によっても紛失状態が解消されることなく、全データを消去（読み出し不能化）するまでの期間である１０秒が経過した場合には、消去タイマのタイマアップがＳｍ１３のステップにおいて検知されてＳｍ１４のステップに進み、サウンダ２５からの連続警報の出力を終了した後、フラッシュメモリ２２に記憶されている全データを消去、具体的には再フォーマットすることにより読み出し不能化するとともに、内部メモリに不能化履歴のデータを記憶した後、Ｓｍ２２のステップに進むことで、監視タイマをリスタートしてＳｍ１のステップに戻る。
【００９８】
つまり、本実施例では、警報の初期段階では、１秒間隔で０.１秒の警報出力がなされることで、デューティ比が比較的小さい（１０分の１）ことによる音圧の低い優しい感じの警報が１分間出力され、該１分間以内に紛失状態が解消されない場合には、０.５秒間隔で０.１秒の警報出力がなされることで、デューティ比が比較的大きい（５分の１）ことによる音圧のやや高い厳しい感じの警報が３０分間出力され、該３０秒間以内に紛失状態がさらに解消されない場合には、デューティ比が最も大きい（１分の１）の連続警報出力がなされることで、非常に音圧の高いけたたましい警報が１０秒間出力されることで、紛失等が発生しつつあることが段階的に報知されるようになっている。
【００９９】
以上、本実施例によれば、ＵＳＢメモリ２（携帯型外部記憶装置）がＩＤカード５０の格納ケース部５４内に格納されている状態、並びに稼働中のノートパソコン１（情報処理装置）に接続されている状態のいずれでもない状態、例えば、机上にＵＳＢメモリ２（携帯型外部記憶装置）を置き忘れた場合や、ノートパソコン１の利用終了後に停止した該ノートパソコン１からＵＳＢメモリ２を外し忘れた場合には、少なくとも警告音が出力されることで、置き忘れや外し忘れが生じていることが利用者に報知されるので、紛失等の発生自体を極力防止することができる。
【０１００】
また、本実施例によれば、警告音を出力しても尚、ＵＳＢメモリ２（携帯型外部記憶装置）がＩＤカード５０の格納ケース部５４内に格納されている状態、並びに稼働中のノートパソコン１（情報処理装置）に接続されている状態のいずれでもない状態が継続されている場合、つまり、置き忘れや外し忘れの状態が継続している場合には、データが読み出し不能化、例えば、データがフォーマットにて消去されるので、より高いキュリティ性を得ることができる。
【０１０１】
また、本実施例によれば、警告出力手段となるサウンダ２５が警告音を出力し続けることで第１電力部であるコイン形二酸化マンガンリチウム二次電池２４ｂの電力が消費されても、第２電力部であるコイン形二酸化マンガンリチウム二次電池２４ａの電力は警告音の出力に消費されることがないので、警告音の出力を開始した時点からの経過期間が予め設定された所定期間、つまり、報知１〜報知３までの１分４０秒に達したときに、不揮発性記憶部であるフラッシュメモリ２２に記憶されているデータを読み出し不能、つまりフォーマットにより消去するために使用する電力が、警告音の出力により無くなってしまうことにより、データを読み出し不能とすることができなくなることを回避でき、確実にデータを読み出し不能化することができる。
【０１０２】
また、本実施例によれば、充電可能な二酸化マンガンリチウム二次電池を用い、該二酸化マンガンリチウム二次電池に、電源回路２３により充電を実施しているので、これら二酸化マンガンリチウム二次電池に代えて、一次電池を使用した場合に比較して該一次電池の交換頻度を大幅に低減できるばかりか、一次電池の消耗による警告音の出力不能や、データの読み出し不能化の実施不能等の発生を、大幅に低減できる。
【０１０３】
また、本実施例によれば、報知１〜報知３のように、段階的に警告音の出力間隔が短くするようにしているので、警告音の出力初期段階では、比較的長い間隔の警告音を出力することで、警告音の出力に使用される電力消費を低減できる。
【０１０４】
また、本実施例によれば、制御マイコン２１（制御手段）は、監視タイマがタイマアップすることによる判定タイミングである１秒毎に、ＵＳＢメモリ２（携帯型外部記憶装置）がＩＤカード５０の格納ケース部５４内に格納されている状態、並びに稼働中のノートパソコン１（情報処理装置）に接続されている状態のいずれでもない状態が発生しているかの判定の処理を実施すれば良く、該判定タイミング間においては電力消費の低いスリープモード（待機状態）とすることができるので、電力手段であるコイン形二酸化マンガンリチウム二次電池２４ｂの電力消耗を低減できる。
【０１０５】
また、本実施例によれば、紛失や盗難された携帯型外部記憶装置であるＵＳＢメモリ２が情報処理装置である仮想化カーネルがインストールされていない通常のノートパソコンに装着されても、該通常のノートパソコンにおいては、読出制御情報であるＭＢＲデータが適正でないことにより、該装着された外部記憶装置であるＵＳＢメモリ２のフォーマットが実施されるようになるので、ＵＳＢメモリ２（携帯型外部記憶装置）に記憶されているデータへのアクセス自体が不能とされるので、紛失や盗難による情報の漏洩を、より確実に防止することができる。
【０１０６】
また、本実施例のＩＤカード５０によれば、本発明の警告音を出力するＵＳＢメモリ２（携帯型外部記憶装置）を、警告音を出力させずに携行できるとともに、装着部となる吊下紐５１により人体に装着することができ、よって、ＵＳＢメモリ２（携帯型外部記憶装置）の紛失や盗難を極力防止できる。
【０１０７】
以上、本発明の実施例を図面により説明してきたが、具体的な構成はこれら実施例に限られるものではなく、本発明の要旨を逸脱しない範囲における変更や追加があっても本発明に含まれる。
【０１０８】
例えば、前記実施例では、携帯型外部記憶装置としてＵＳＢメモリ２を例示しているが、本発明はこれに限定されるものではなく、これら携帯型外部記憶装置としては、不揮発性メモリから成る不揮発性記憶部を搭載し、ＵＳＢインターフェイス以外の接続インターフェイスを有するカード型の携帯型外部記憶装置であっても良いし、更には、ＵＳＢインターフェイスを備える小型ハードディスク装置であっても良く、不揮発にてデータを書き換え可能に記憶するものであって、情報処理装置に着脱可能な外部の装置であれば良い。
【０１０９】
また、前記実施例では、認証キーと暗号キーとしてドメイン名を使用しているが、本発明はこれに限定されるものではなく、認証キーおよび／または暗号キーを、その他の情報、例えば、情報処理端末に固有の機器ＩＤや、利用者から受付けた暗証番号等を利用するようにしても良い。
【０１１０】
また、前記実施例では、二酸化マンガンリチウム二次電池を使用しているが、本発明はこれに限定されるものではなく、これら以外の二次電池を使用しても良いし、二次電池ではなく、電気二重層コンデンサをこれら二次電池に代えて、若しくは、これら二次電池とともに使用するようにしても良い。更には、二次電池ではなく一次電池を使用するようにしても良い。
【０１１１】
また、前記実施例では、監視タイマのタイマアップを状態監視処理におけるＳｍ１にて判定するようにしているが、本発明はこれに限定されるものではなく、これら監視タイマを制御マイコン２１以外の外部タイマにより形成し、該外部タイマからのタイマ割込信号の入力に応じて制御マイコン２１が状態監視処理を実行するようにすることで、タイマ割込信号の入力間における制御マイコン２１の動作を、より低次のスリープモードにして、更に消費電力を抑えるようにしても良い。
【０１１２】
また、前記実施例では、ＵＳＢコネクタ３０の特定端子の短絡（導通）の有無により携帯型外部記憶装置用格納容器となるＩＤカード５０の格納ケース部５４内にＵＳＢメモリ２が正常に格納されているか否かを検知しているが、本発明はこれに限定されるものではなく、これら格納ケース部５４内への格納検知の手法として、例えば、光センサによる所定時間以上に亘り外光が検知されないことにより格納ケース部５４内への収納の有無を検知したり、或いは、格納ケース部５４に小型の磁石を内設して、近接スイッチにより格納ケース部５４内への収納の有無を検知しても良いし、更には、これら異なる検知方法を併用するようにしても良い。
【０１１３】
また、前記実施例では、稼働中の情報処理装置に接続されているか否かの検知を、該情報処理装置からの直流電圧の供給の有無により検知するようにしているが、本発明はこれに限定されるものではなく、これら稼働中の情報処理装置への接続の有無を、例えば、所定の時間間隔（例えば２秒）毎に、情報処理装置に対して応答要求を送信し、該応答要求に対する応答の有無により接続の有無を検知するようにしても良いし、これらの複数の検知を併用するようにしても良い。
【０１１４】
また、前記実施例では、警告出力手段として警告音を出力するサウンダ２５のみを用いているが、本発明はこれに限定されるものではなく、これら警告出力手段として、これらサウンダに加えて、光や振動や警告表示等を出力するデバイスを搭載して、光や振動や警告表示等を出力するようにしても良い。
【０１１５】
また、前記実施例では、ＵＳＢコントローラを内蔵した制御マイコン２１を用いた形態を例示しているが、本発明はこれに限定されるものではなく、これらＵＳＢコントローラを制御マイコン２１とは別体として設けた構成としても良い。
【０１１６】
また、前記実施例では、警報音を出力開始してから所定時間が経過した場合には、フラッシュメモリ２２のデータを全てフォーマットにより消去するようにしているが、本発明はこれに限定されるものではなく、これら消去を実施しない構成としても良い。
【０１１７】
また、前記実施例では、当初から適正でないＭＢＲがフラッシュメモリ２２の読出制御情報記憶領域に記憶されたものとしているが、本発明はこれに限定されるものではなく、たとえば、当初は、読出制御情報記憶領域には適正なＭＢＲを記憶しておき、警報音を出力開始してから所定時間が経過した場合に該ＭＢＲを不適正なＭＢＲに書き換えることで、フラッシュメモリ２２のデータを読み出し不能とするようにしても良く、これら読み出しを不能化するための処理内容は、適宜に選択すれば良い。
【０１１８】
また、前記実施例では、２つのコイン形二酸化マンガンリチウム二次電池２４ａ，２４ｂを用いるようにしているが、本発明はこれに限定されるものではなく、これら使用する電池を１つの電池としても良い。
【０１１９】
また、前記実施例では、警告音の出力間隔を段階的に短くなるようにしているが、本発明はこれに限定されるものではなく、警告音として初めから連続警告音を出力するようにしても良い。
【０１２０】
また、前記実施例では、警告音の出力間隔に加えて音圧も段階的に向上するようにしているが、本発明はこれに限定されるものではなく、これら音圧も一定としても良い。
【０１２１】
また、前記実施例では、報知１タイマや報知２タイマの時間や、消去タイマの時間や監視タイマの時間等を一時的に設定した例を示したが、本発明はこれに限定されるものではなく、これら各タイマによる所定時間を、ＵＳＢメモリ２を装着したノートパソコン１において、所定の設定ユーティリティプログラムにより、利用者が適宜に変更可能としても良い。
【０１２２】
また、前記実施例では、監視タイマのタイマアップ毎に紛失状態の発生の有無の検知を実施するようにしているが、本発明はこれに限定されるものではなく、これら監視タイマによることなく、常時監視を実施するようにしても良い。
【０１２３】
また、前記実施例では、情報処理装置としてノートパソコン１を例示しているが、本発明はこれに限定されるものではなく、これら情報処理装置は、通常のデスクトップパソコンでも、サーバコンピュータであっても良いし、携帯電話機やＰＤＡ端末や電子辞書やゲーム機等であっても良い。
【０１２４】
また、前記実施例では、ＵＳＢコネクタ３０の特定電極の短絡（導通）のみによりＩＤカード５０の格納ケース部５４内にＵＳＢメモリ２が正常に格納されているか否かを検知しているため、例えば、同様のＩＤカード５０を所持する他の社員等が、不正にＵＳＢメモリ２を入手して自身の格納ケース部５４に格納することにより、警報音が出力されることなく該不正に入手したＵＳＢメモリ２を携行して持ち出せることになるので、これらを防止するために、例えば、格納ケース部５４に識別符号（ＩＤ）を読み出し可能なＩＤチップを格納用コネクタ５６に接続して設けておくとともに、制御マイコン２１のＥＥＰＲＰＯＭに該ＩＤを予め登録しておき、ＵＳＢメモリ２の制御マイコン２１が状態監視処理のＳｍ３のステップにおいて、特定電極の短絡（導通）に加えて、格納されている格納ケース部５４のＩＤをＩＤチップから読み出してＥＥＰＲＰＯＭに記憶されているＩＤと照合し、該照合が一致したことを条件にＵＳＢメモリ２が正常に格納されていると判断し、照合が不一致であれば正常に格納されていないと判定して、警報音を出力するようにしても良い。
【０１２５】
また、前記実施例では、携帯型外部記憶装置用格納容器をＩＤカードと一体化されたものとした形態を例示したが、本発明はこれに限定されるものではなく、ＩＤカードを挿入可能なＩＤ証格納部５３を有しないものであっても良いし、更には、ベルトの挿通部を格納ケース部５４の背面に設けた構成として、ベルト装着型の携帯型外部記憶装置用格納容器としても良い。
【０１２６】
また、本件発明は、携帯型外部記憶装置であるＵＳＢメモリ２の紛失等の発生自体を極力防止することを目的としているが、これらの目的以外に、以下の第二の課題を解決することもできる。
【０１２７】
つまり、本件発明の課題において前述したように、近年、電子技術、特には、フラッシュメモリ等に代表されるように、記憶素子の発展に伴い、小型で記憶容量が大きく、且つ不揮発性で書き換え記憶可能な記憶装置が実用化されているが、これら不揮発性の記憶装置は、汎用性が重視されることから、どのようなパソコンや携帯機器にも使用できるように設計されているので、これら記憶装置を紛失や盗難された場合には、該記憶装置に記憶している個人情報等の重要情報が、第三者に漏洩することになるので、これら記憶装置に記憶している情報を、暗号化することで、これらの情報が第三者に漏洩することを回避するものがある。（例えば、特開２００４−１２７１８３号公報）
【０１２８】
しかしながら、これら暗号化したデータを記憶装置に記憶する場合には、記憶装置自体は、該記憶装置が装着されるパソコンや携帯機器にマウントされて、暗号化されたデータ自体に対してはアクセスが可能とされてしまうので、これら暗号化の手法、例えば復号する暗号キーデータと暗号化アルゴリズムさえ判れば、これら暗号化されたデータが容易に復号されてしまうので、情報が漏洩してしまう可能性があるという問題があった。
【０１２９】
よって、本件発明は、このような問題点にも着目してなされたもので、紛失や盗難による情報の漏洩を、より確実に防止することのできる情報処理装置を提供することを第二の目的としている。
【０１３０】
つまり、この第二の課題を解決するために、本発明の情報処理装置は、
不揮発にてデータを書き換え可能に記憶する外部記憶装置（ＵＳＢメモリ２）とのデータ通信を行うデータ通信手段（ＵＳＢインターフェイス部３）を備え、該データ通信手段を通じて前記外部記憶装置に記憶されているデータの読み出し並びにデータの書き込みが可能とされ、前記外部記憶装置から読み出したデータに関する情報処理を実施するとともに、前記外部記憶装置の所定の読出制御情報記憶領域（ＭＢＲ記憶領域）に記憶されている読出制御情報（ＭＢＲデータ）が適正でないときに、前記外部記憶装置のフォーマットを実施する情報処理装置（ノートパソコン１）であって、
前記読出制御情報が適正であるか否かを判定する読出制御情報判定手段（Ｓ２）と、
前記読出制御情報が適正でないことを条件に、前記外部記憶装置に記憶されている仮想化データを復号して、該仮想化データ中に仮想化されている真性読出制御情報（真性ＭＢＲ）を抽出する真性読出制御情報抽出手段（Ｓｙ６）と、
前記真性読出制御情報抽出手段において抽出した真性読出制御情報が適正であるか否かを判定する真性読出制御情報判定手段（Ｓ６）と、
前記真性読出制御情報判定手段において真性読出制御情報が適正であると判定されることを条件に、前記仮想化データを復号して生成した真性データを、該情報処理装置において利用可能とする真性データ生成手段（Ｓ１０）と、
前記読出制御情報記憶領域に不適正な読出制御情報を記憶するとともに、適正な真性読出制御情報と該情報処理装置にて利用可能な真性データとを、暗号化して仮想化データを生成し、該仮想化データを、前記読出制御情報記憶領域に対応する前記外部記憶装置のデータ記憶領域に記憶する仮想化データ記憶手段（書き込み処理）と、
を備えることを特徴としている。
この特徴によれば、紛失や盗難された外部記憶装置が情報処理装置に装着されても、通常の情報処理装置においては、読出制御情報が適正でないことによりフォーマットが実施されるようになり、外部記憶装置に記憶されているデータへのアクセス自体が不能とされるので、紛失や盗難による情報の漏洩を、より確実に防止することができる。
【０１３１】
また、前記第二の課題を解決するために、本発明の情報処理装置はさらに、
コンピュータネットワーク（ＬＡＮ）上において当該情報処理装置（ノートパソコン１）に割り当てられたドメイン名を取得するドメイン名取得手段（Ｓｋ１）を備えるとともに、
前記仮想化データ記憶手段（書き込み処理）は、前記ドメイン名取得手段にて取得したドメイン名をさらに含む仮想化データを生成して前記外部記憶装置のデータ記憶領域に記憶し（Ｓｋ５）、
前記真性読出制御情報判定手段において真性読出制御情報が適正であると判定されることを条件に、前記仮想化データ中に該真性読出制御情報とともに仮想化されているドメイン名を抽出し（Ｓｙ３）、該抽出したドメイン名と前記ドメイン名取得手段にて取得したドメイン名との整合性の有無を判定するドメイン名判定手段（Ｓｙ５）を備え、
前記真性データ生成手段（Ｓ１０）は、前記ドメイン名判定手段によって整合性が有ると判定されること（互換ＭＢＲのファイルシステムへの出力）を条件に、前記真性データを利用可能とすることを特徴としている。
この特徴によれば、整合性の有する、例えば同一のドメイン名に属する情報処理装置のみにおいて外部記憶装置を利用可能にできるので、より一層、紛失や盗難による情報の漏洩を、より確実に防止することができる。
【０１３２】
また、前記第二の課題を解決するために、本発明の情報処理装置はさらに、
コンピュータネットワーク（ＬＡＮ）上において当該情報処理装置（ノートパソコン１）に割り当てられたドメイン名を取得するドメイン名取得手段（Ｓｋ１）を備えるとともに、
前記仮想化データ記憶手段は、前記ドメイン名取得手段にて取得したドメイン名を暗号化キーとして仮想化データを生成し（Ｓｋ２）、
前記真性読出制御情報抽出手段並びに前記真性データ生成手段は、前記ドメイン名取得手段にて取得したドメイン名を復号化キーとして仮想化データを復号する（Ｓｙ２）ことを特徴としている。
この特徴によれば、同一のドメイン名に属する情報処理装置のみにおいて、仮想化データの復号が可能となることで外部記憶装置を利用可能にできるので、より一層、紛失や盗難による情報の漏洩を、より確実に防止することができる。
【図面の簡単な説明】
【０１３３】
【図１】本発明の実施例における情報処理装置となるノートパソコン１とＵＳＢメモリ２を示す斜視図である。
【図２】本発明の実施例におけるノートパソコン１とＵＳＢメモリ２の構成を示すブロック図である。
【図３】本発明の実施例における情報処理装置となるノートパソコン１におけるプログラムのアクセス構成を示す図である。
【図４】（ａ）は、ＵＳＢメモリ２のフラッシュメモリ２２に記憶される従来の記憶形式を示す図であり、（ｂ）は、ＵＳＢメモリ２のフラッシュメモリ２２に記憶される本発明の記憶形式を示す図である。
【図５】仮想化カーネルを搭載していないノートパソコンにおいて実施される処理内容を示すフロー図である。
【図６】本実施例の仮想化カーネルを搭載しているノートパソコン１において実施される処理内容を示すフロー図である。
【図７】本実施例の仮想化カーネルが実施する読み込み処理の処理内容を示すフロー図である。
【図８】本実施例の仮想化カーネルが実施する書き込み処理の処理内容を示すフロー図である。
【図９】本実施例のＵＳＢメモリ２において実施される状態監視処理の処理内容を示す図である。
【図１０】本実施例の携帯型外部記憶装置用格納容器となるＩＤカードを示す図である。
【図１１】本実施例の携帯型外部記憶装置用格納容器となるＩＤカードを示す詳細図である。
【符号の説明】
【０１３４】
１          ノートパソコン
２          ＵＳＢメモリ
３          ＵＳＢインターフェイス部
６          ディスプレイ
７          キーボード
８          マウス
１１        データバス
１２        ＣＰＵ
１３        ＲＡＭ
１４        操作入力部
１５        記憶装置
１６        表示処理部
１７        通信部
２１        制御マイコン
２２        フラッシュメモリ
２３        電源回路
２４ａ      コイン形二酸化マンガンリチウム二次電池（第２電力部）
２４ｂ      コイン形二酸化マンガンリチウム二次電池（第１電力部）
２５        サウンダ
２６        格納検知回路
３０        ＵＳＢコネクタ部
５０        ＩＤカード
５１        吊下紐
５２        本体部
５３        ＩＤ証格納部
５４        格納ケース部
５６        格納用コネクタ
【図１】
0004819763.tif 000002
【図２】
0004819763.tif 000003
【図３】
0004819763.tif 000004
【図４】
0004819763.tif 000005
【図５】
0004819763.tif 000006
【図６】
0004819763.tif 000007
【図７】
0004819763.tif 000008
【図８】
0004819763.tif 000009
【図９】
0004819763.tif 000010
【図１０】
0004819763.tif 000011
【図１１】
0004819763.tif 000012